【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
円周を有する配管を補強するための支持を形成できるだけの長さを有する連続した織物において、
第１層（２１０）を形成する複数の第１繊維（２１２）と、
前記第１層に連結された複数の第２繊維（２１２）とを有し、該第２繊維は、実質的に平行に整列した細断繊維を含んでおり、かつ、前記配管の実質的に円周の周りに配置されるように整列しており、これにより前記織物が、前記第２繊維の長手方向と平行な方向に延ばすことができるようになっていることを特徴とする織物。
【請求項２】
前記第１繊維は、実質的にランダムな向きに配置されていることを特徴とする請求項１に記載の織物。
【請求項３】
前記第１繊維は、不連続繊維であることを特徴とする請求項２に記載の織物。
【請求項４】
前記第１繊維は、実質的に連続繊維であることを特徴とする請求項１に記載の織物。
【請求項５】
前記織物には幅があり、前記第２繊維は前記織物の幅の一部に亘って分散配置されていることを特徴とする請求項１に記載の織物。
【請求項６】
前記第２繊維は、前記織物の幅に対し実質的に垂直に分散配置されていることを特徴とする請求項５に記載の織物。
【請求項７】
前記第２繊維は、前記織物の幅の略半分に亘って分散配置されていることを特徴とする請求項６に記載の織物。
【請求項８】
前記織物は、両側部（２５０、２５２）と、その間の中間部（２５４）を含んでおり、前記第２繊維は、前記織物の前記両側部だけに配置されていることを特徴とする請求項５に記載の織物。
【請求項９】
前記中間部に配置された増量材（２５６）を更に備えていることを特徴とする請求項８に記載の織物。
【請求項１０】
前記増量材は、樹脂、ガラス、裁断再生ガラス強化プラスチック混合物、及び微小球、の内の１つを含んでいることを特徴とする請求項９に記載の織物。
【請求項１１】
前記繊維を連結するための縫い合わせ要素（１３０）を更に備えており、前記縫い合わせ要素は、弾性を有する糸を含んでいることを特徴とする請求項１に記載の織物。
【請求項１２】
ランダムに配向された細断状の繊維を含む複数の第３繊維を更に備えており、前記第３繊維は、前記第１及び第２繊維に連結されていることを特徴とする請求項１に記載の織物。
【請求項１３】
前記第３繊維の実質的に全部は、前記第２繊維に対して或る角度で配置されていることを特徴とする請求項１２に記載の織物。
【請求項１４】
前記第１層には長さがあり、前記第１繊維は、実質的に連続しており、前記第１層の長さに対し実質的に垂直に配置されていることを特徴とする請求項１３に記載の織物。
【請求項１５】
第３繊維の層の長手方向に対し実質的に垂直に配置された実質的に連続した第３繊維を有する第３繊維の層を更に有することを特徴とする請求項１２に記載の織物。
【請求項１６】
前記第２繊維に対して或る角度で配置された細断状の第３繊維を含む第３層を更に備えており、前記第３繊維は、実質的に互いに平行に、且つシートの長に対し垂直に整列し、前記第３層は前記第１及び第２繊維に連結されていることを特徴とする請求項１に記載の織物。
【請求項１７】
前記第１繊維は、ガラス又はポリエステルフェルトの内の１つで作られた不織繊維であることを特徴とする請求項１に記載の織物。
【請求項１８】
前記第２繊維は、ガラス又はポリエステルの内の１つで作られた不織繊維であることを特徴とする請求項２に記載の織物。
【請求項１９】
前記第２及び第３繊維は、前記第１層内にインターロックされていることを特徴とする請求項１２に記載の織物。
【請求項２０】
前記第２及び第３繊維は、前記第２層内でインターロックされていることを特徴とする請求項１２に記載の織物。
【請求項２１】
前記第１及び第２繊維は、粉状結合剤で連結されていることを特徴とする請求項１に記載の織物。
【請求項２２】
前記第２繊維は、第２層内に設けられ、縫い合わせにより前記第１層に連結されていることを特徴とする請求項１に記載の織物。
【請求項２３】
織物によってライナーが形成され、前記ライナーは半径方向に伸張可能であることを特徴とする請求項１に記載の織物。
【請求項２４】
配管を補強するための支持体において、
実質的に管の形態に構成された補強ライナーであって、前記管は、長手方向軸に沿う長さと、前記長手方向軸に垂直な面内の外周方向とを有し、前記ライナーは、上記請求項１乃至２３のいずれか１項に記載の織物を有し、前記織物は、積層状に配置され、条片が重なり合って前記管を形成し、前記織物は前記第２繊維の長手方向に平行な方向に延ばすことができるように構成された補強ライナーを備えていることを特徴とする支持体。
【請求項２５】
前記織物は、前記管の長さに沿って螺旋模様に配置されていることを特徴とする請求項２４に記載の支持体。
【請求項２６】
前記細断繊維は、実質的に前記管の外周方向に沿って配置されていることを特徴とする請求項２５に記載の支持体。
【請求項２７】
前記織物は、前記管の長さに沿って長手方向条片として配置されていることを特徴とする請求項２４に記載の支持体。
【請求項２８】
前記織物には幅方向があり、前記細断繊維は、前記幅方向に実質的に垂直に配置されていることを特徴とする請求項２４に記載の支持体。
【請求項２９】
前記織物の各後続条片は、前記細断繊維の有る後続条片の部分が、前記細断繊維の無い先行条片の部分に接触するように、前記先行条片に接触することを特徴とする請求項２４に記載の支持体。
【請求項３０】
前記織物は、両側部と、前記両側部の間の中間部を含んでおり、前記細断繊維は、前記織物の前記両側部に沿ってのみ配置され、前記織物の各後続条片は、前記後続条片の一方の側部が、前記先行条片の中間部に重なるように、前記先行条片に接触することを特徴とする請求項２９に記載の支持体。
【請求項３１】
前記管は、前記織物の内面に沿って伸張する樹脂膜を含んでいることを特徴とする請求項２４に記載の支持体。
【請求項３２】
前記管は、前記管の半径方向に伸縮可能であることを特徴とする請求項２４に記載の支持体。
【請求項３３】
前記第２繊維は第２条片を備えており、前記第１及び第２条片は、縫い合わせ要素により連結されていることを特徴とする請求項２４に記載の支持体。
【請求項３４】
配管を補強するための支持体を製造する方法において、
織物をランダムな方向に配置された繊維で作られた第１層に配置する段階と、
前記織物を前記第１層の一部に重なる第２層に配置する段階と、から成り、
前記第１層と第２層は、実質的に管の形態に構成された補強ライナーを形成し、前記管は、長手方向軸と、前記長手方向軸に対して垂直な面内の外周方向とを有し、前記織物は、縫い合わせ要素により一体に連結された第１層と第２層を備えており、第２支持層は、実質的に同一方向に整列した細断繊維を含んでおり、前記織物は前記細断繊維に平行な方向に延ばすことができるようになっていることを特徴とする方法。
【請求項３５】
織物を第１及び第２層に配置する前記段階は、前記織物を前記長手方向軸に沿う螺旋模様に配置する段階を含んでいることを特徴とする請求項３４に記載の方法。
【請求項３６】
織物を第１及び第２層に配置する前記段階は、前記織物を前記長手方向軸に沿う長手方向条片に配置する段階を含んでいることを特徴とする請求項３４に記載の方法。
【請求項３７】
前記第１及び第２層に樹脂材料を含浸することにより前記第１及び第２層を連結する段階を更に含んでいることを特徴とする請求項３４に記載の方法。
【請求項３８】
前記細断繊維は、前記長手方向軸に対し実質的に垂直に整列していることを特徴とする請求項３４に記載の方法。
【請求項３９】
前記織物は、半径方向に伸張可能であることを特徴とする請求項３８に記載の方法。